(57)【要約】【課題】待機状態時の漏洩電流の増加を抑制しながら、絶縁耐圧試験にも耐えうるノイズフィルタ回路を備えた電気機器を提供する。【解決手段】空気調和機１００は、インバータ回路６と、商用交流電源１の出力電圧に基づく電圧をインバータ回路６に供給するためのＡＣ電源ラインＬＮ１，ＬＮ２上をインバータ回路６の高周波ノイズが伝導することを抑制するノイズフィルタ回路４とを備えている。ノイズフィルタ回路４は、コンデンサＣ３，Ｃ４、リレーＲＹ１および正特性サーミスタＰＴＣ１を有している。コンデンサＣ３は、一方のＡＣ電源ラインＬＮ１と本体アースＧとの間に設けられており、コンデンサＣ４は、他方のＡＣ電源ラインＬＮ２と本体アースＧとの間に設けられている。リレーＲＹ１および正特性サーミスタＰＴＣ１は、コンデンサＣ３とコンデンサＣ４との間の接続ノードＮ１と本体アースＧとの間で、互いに並列となるように接続されている。【選択図】図１
2020156139.tif 000002
【特許請求の範囲】
【請求項１】
インバータ回路と、外部電源の出力電圧に基づく電圧を前記インバータ回路に供給するための一対の電源ライン上を前記インバータ回路の高周波ノイズが伝導することを抑制するノイズフィルタ回路とを備えた電気機器において、
前記ノイズフィルタ回路が、第１コンデンサ、第２コンデンサ、切替リレーおよび正特性サーミスタを有し、
前記第１コンデンサが、前記一対の電源ラインの一方と機器本体アースとの間に設けられ、
前記第２コンデンサが、前記一対の電源ラインの他方と前記機器本体アースとの間に設けられ、
前記切替リレーおよび前記正特性サーミスタが、前記第１コンデンサおよび前記第２コンデンサとの間の接続ノードと前記機器本体アースとの間で、互いに並列となるように接続されていることを特徴とする電気機器。
【請求項２】
請求項１に記載の電気機器であって、
前記ノイズフィルタ回路が、さらに抵抗を有しており、
前記抵抗は前記正特性サーミスタと直列に接続され、かつ、前記正特性サーミスタおよび前記抵抗は切替リレーと並列に接続されていることを特徴とする電気機器。
【請求項３】
請求項１または２に記載の電気機器であって、
前記切替リレーは、２つのリレーが直列に接続された構成であることを特徴とする電気機器。
【請求項４】
インバータ回路と、外部電源の出力電圧に基づく電圧を前記インバータ回路に供給するための一対の電源ライン上を前記インバータ回路の高周波ノイズが伝導することを抑制するノイズフィルタ回路とを備えた電気機器において、
前記ノイズフィルタ回路が、第１コンデンサ、第２コンデンサおよび切替リレーを有し、
前記第１コンデンサが、一方の電源ラインと機器本体アースとの間に設けられ、
前記第２コンデンサが、他方の電源ラインと前記機器本体アースとの間に設けられ、
前記切替リレーが、前記第１コンデンサおよび前記第２コンデンサとの間の接続ノードと前記機器本体アースとの間に接続されており、
前記切替リレーは、２つのリレーが直列に接続された構成であることを特徴とする電気機器。
【発明の詳細な説明】
【技術分野】
【０００１】
本発明は、大電流（例えば２０［Ａ］程度）が流れる電源ライン上をインバータ回路で発生する高周波ノイズが伝導することを抑制するノイズフィルタ回路を備えた電気機器（例えば空気調和機）に関する。
【背景技術】
【０００２】
ノイズフィルタ回路を備えた電気機器が、例えば特許文献１に開示されている。図５は、特許文献１に開示された電気機器の構成を示す図であり、この図ではノイズフィルタ回路を備えた電気機器として空気調和機２００が例示されている。
【０００３】
空気調和機２００は、電源リレーＭＲＹ１および端子板２を有する室内機２０１と、端子板３、ノイズフィルタ回路４、全波整流回路５、平滑コンデンサＣ５、インバータ回路６、圧縮機７、スイッチング電源回路８およびマイコン９を有する室外機２０２とによって構成されている。端子板２および端子板３のＮ端子同士、端子板２および端子板３のＬ端子同士はそれぞれ配線によって接続され、インバータ回路６とマイコン９とはフォトカプラなどの絶縁素子（不図示）を介して接続される。空気調和機２００の運転中においては、通常、２０［Ａ］程度の電流が電源ラインに流れ、また、平滑コンデンサＣ５の容量が大きいため、待機状態から運転状態に移行した場合にはより大きな突入電流が電源ラインに流れるため、電源リレーＭＲＹ１はそれらの大電流に耐えることができる仕様にする必要がある。
【０００４】
空気調和機２００の運転中においては、室内機２０１の電源コードが外部の商用交流電源１へ接続されている状態で電源リレーＭＲＹ１がオンになっており、商用交流電源１から出力される交流電圧が、室内機２０１を経由して室外機２０２に供給される。全波整流回路５および平滑コンデンサＣ５は、供給された交流電圧を整流且つ平滑化した後、インバータ回路６およびスイッチング電源回路８に供給する。スイッチング電源回路８は、平滑コンデンサＣ５の両端電圧から各種ＤＣ電圧を生成してマイコン９やその他の回路に電源電圧として供給する。インバータ回路６は、マイコン９からの制御に従って内部のパワースイッチング素子をオン／オフさせることにより平滑コンデンサＣ５の両端電圧を所望周波数の交流電圧に変換する。インバータ回路６によって変換された所望周波数の交流電圧は、圧縮機７に供給され、圧縮機７を動作させる。
【０００５】
インバータ回路６では、パワースイッチング素子のオン／オフによりスイッチングノイズが発生する。このスイッチングノイズは、室外機２０２内部の電源ラインから室内機２０１へ伝わり、最終的には室内機２０１の電源コードから外部の商用交流電源１へ伝導し、商用交流電源１に接続している他の機器に悪影響を及ぼす。このようなスイッチングノイズの伝導を抑制するために、室外機２０２内にノイズフィルタ回路４を設置している。
【０００６】
ノイズフィルタ回路４は、図５に示すように、放電抵抗Ｒ１、コモンモードノイズを抑制するコモンモードチョークコイルＬ１、ノーマルモードノイズを抑制するコンデンサＣ１，Ｃ２（いわゆるＸコンデンサ）、コモンモードノイズを抑制するコンデンサＣ３，Ｃ４（いわゆるＹコンデンサ）およびリレーＲＹ１を備えている。コモンモードチョークコイルＬ１とコンデンサＣ１，Ｃ２は、一対のＡＣ電源ラインＬＮ１，ＬＮ２間に設けられている。また、コンデンサＣ３，Ｃ４は、コンデンサＣ３が一方のＡＣ電源ラインＬＮ１と室外機２０２の本体アース（機器本体アース）Ｇとの間に設けられ、コンデンサＣ４が他方のＡＣ電源ラインＬＮ２と室外機２０２の本体アースＧとの間に設けられている。これらの構成により、ノイズフィルタ回路４は、室外機２０２の電源ラインにノイズが伝導することを抑制している。
【０００７】
また、ノイズフィルタ回路４におけるリレーＲＹ１は、コンデンサＣ３とコンデンサＣ４との間の接続ノードＮ１と、室外機２０２の本体アースＧとの間に設けられている。リレーＲＹ１のリレーコイルの各端部はスイッチング電源回路８の出力側に接続されている。
【０００８】
図５に示す空気調和機２００が待機状態のとき、すなわち、電源リレーＭＲＹ１がオフであるときは、商用交流電源１から室外機２０２への電力供給がないため、スイッチング電源回路８は動作せず、リレーＲＹ１のリレーコイルの両端には電圧が印加されない。このため、待機状態の空気調和機２００において、リレーＲＹ１はオフとなる。また、リレーＲＹ１がオフとなることで、ノイズフィルタ回路４はノイズフィルタとして機能しなくなる。
【０００９】
したがって、空気調和機２００が待機状態のときは、接続ノードＮ１と本体アースＧとが遮断され、漏洩電流が流れない。また、待機状態のときは、インバータ回路６が動作しておらずスイッチングノイズが発生していないので、ノイズフィルタ回路４がノイズフィルタとして機能しなくても何ら問題は生じない。
【００１０】
これに対して、運転状態のとき、すなわち、電源リレーＭＲＹ１がオンであるときは、商用交流電源１から室外機２０２へ電力が供給され、スイッチング電源回路８が動作する。スイッチング電源回路８が動作すると、リレーＲＹ１のリレーコイルの両端に所定の電圧（Ｖｃｃ−０［Ｖ］、例えば１２［Ｖ］、２４［Ｖ］など）が印加され、リレーＲＹ１はオンになる。リレーＲＹ１がオンになると、ノイズフィルタ回路４はノイズフィルタとして機能し、インバータ回路６で発生するスイッチングノイズの伝導を抑えることができる。また、運転状態のときは、接続ノードＮ１から本体アースＧへ漏洩電流が流れるが、このときの漏洩電流レベルは低いものである。
【００１１】
このように、図５に示すノイズフィルタ回路４は、スイッチング電源回路８の制御によってオン／オフされるリレーＲＹ１を備え、待機状態においてはリレーＲＹ１をオフして漏洩電流を抑え、運転状態においてはリレーＲＹ１をオンしてスイッチングノイズを抑えることができる。また、リレーＲＹ１には運転状態における漏洩電流が流れるだけであるので、小電流タイプのリレー、すなわち低廉かつ小型のリレーをリレーＲＹ１に用いることができる。
【先行技術文献】
【特許文献】
【００１２】
【特許文献１】特許第５０３１４４４号公報
【発明の概要】
【発明が解決しようとする課題】
【００１３】
特許文献１に開示された電気機器（ここでは空気調和機２００）は、ノイズフィルタ回路４における搭載部品の大幅なコストアップや大型化を伴うことなく、高周波ノイズと漏洩電流をともに抑制することができる優れたものである。
【００１４】
しかしながら、このような電気機器においても、雷などのサージ電流から電気機器を保護するサージ保護回路を備えた場合には、絶縁耐圧試験でリレーＲＹ１の接点間に高い電圧がかかってＮＧとなる（不良品と判定される）場合があることが本願発明者により発見された。これについて説明すると以下の通りである。
【００１５】
図６に示す空気調和機２００’は、図５に示す空気調和機２００に、サージ保護回路としてサージアブソーバＳＡ１とバリスタＮＲ１とを追加した構成である。サージアブソーバＳＡ１およびバリスタＮＲ１は、ＡＣ電源ラインＬＮ２と本体アースＧとの間で直列に接続されている。
【００１６】
図７は、空気調和機２００’から絶縁耐圧試験で関係する部分のみを抜粋して記載した回路図である。そして、絶縁耐圧試験では、電源部とアース部との間で絶縁耐圧試験電源１０による試験電圧を印加するため、絶縁耐圧試験時の等価回路は図８に示すようになる。尚、図８に示すように、絶縁耐圧試験時には、商用交流電源１が接続されておらず、ＡＣ電源ラインＬＮ１，ＬＮ２同士が直接接続されている。
【００１７】
また、図７では、図５および図６では図示されていない抵抗Ｒ２が、リレーＲＹ１に対して並列に接続されている。この抵抗Ｒ２は、リレーＲＹ１における接点間電圧を下げる機能を有するものである。抵抗Ｒ２は、その抵抗値が低いほど、リレーＲＹ１の接点間電圧を下げる効果が高い。しかしながら、図７に示す回路では、抵抗Ｒ２が存在することで待機状態時に漏洩電流が発生し、抵抗Ｒ２の抵抗値が低いと漏洩電流も大きくなるため、抵抗Ｒ２の抵抗値を必要以上に小さくすることは好ましくない。
【００１８】
絶縁耐圧試験では、通常、１．８ｋＶ（周波数は５０Ｈｚまたは６０Ｈｚ）の交流電圧が１秒間印加される（２００Ｖ機種の場合）。ここで、リレーＲＹ１に印加される電圧（接点間電圧）は、抵抗Ｒ２がなければ１．８ｋＶであるが、抵抗Ｒ２がある場合は１８００×ｒ２／（ｒ２＋ｚ１）[Ｖ]となる。ここで、ｒ２は抵抗Ｒ２の抵抗値［Ω］であり、ｚ１はコンデンサＣ３およびＣ４のインピータンス［Ω］である。また、コンデンサＣ３およびＣ４のインピータンスｚ１は、ｚ１＝１／（２Π・ｆ・（ｃ３＋ｃ４））で表される。ここで、ｆは試験電圧の周波数［Ｈｚ］であり、ｃ３およびｃ４はコンデンサＣ３およびＣ４のそれぞれの容量値［Ｆ］である。
【００１９】
ＹコンデンサであるコンデンサＣ３およびＣ４には、温度によって容量が変化するＦ特性のコンデンサが一般的に使用され、Ｆ特性のコンデンサは１０℃環境下で容量が最大となる。このため、リレーＲＹ１の接点間電圧は１０℃環境下で最も高くなる。
【００２０】
リレーＲＹ１において、接点間電圧が降伏電圧を超えるとリレーＲＹ１がチャタリングを起こし、接点間電圧がさらに上昇する。チャタリングによってリレーＲＹ１の端子間電圧が上がるのは、図９に示す等価回路で説明できる。ここで、Ｌは、電源線、電源線につけているフェライトコア、パターンのインダクタンス成分を表している。リレーＲＹ１がチャタリングによってオン／オフを繰り返すと、インダクタンス成分Ｌにエネルギが発生し、このエネルギによってリレーＲＹ１の端子間電圧が上昇する。
【００２１】
チャタリングによって上昇したリレーＲＹ１の端子間電圧が、サージ保護回路（サージアブソーバＳＡ１またはバリスタＮＲ１）の放電電圧よりも高くなると、サージ保護回路が導通を起こし、絶縁耐圧試験でＮＧとなる場合があった。すなわち、図６に示す空気調和機２００’では、気温が低下してコンデンサＣ３およびＣ４の容量が大きくなる冬場の生産において、絶縁耐圧試験でのＮＧが生じ易くなるといった問題があった。この問題は、抵抗Ｒ２の抵抗値を低くすることで解消可能ではあるが、その場合は、待機状態時の漏洩電流が増加するといった問題が生じる。
【００２２】
本発明は、上記課題に鑑みてなされたものであり、待機状態時の漏洩電流の増加を抑制しながら、絶縁耐圧試験にも耐えうるノイズフィルタ回路を備えた電気機器を提供することを目的とする。
【課題を解決するための手段】
【００２３】
上記の課題を解決するために、本発明の第１の態様は、インバータ回路と、外部電源の出力電圧に基づく電圧を前記インバータ回路に供給するための一対の電源ライン上を前記インバータ回路の高周波ノイズが伝導することを抑制するノイズフィルタ回路とを備えた電気機器において、前記ノイズフィルタ回路が、第１コンデンサ、第２コンデンサ、切替リレーおよび正特性サーミスタを有し、前記第１コンデンサが、一方の電源ラインと機器本体アースとの間に設けられ、前記第２コンデンサが、他方の電源ラインと前記機器本体アースとの間に設けられ、前記切替リレーおよび前記正特性サーミスタが、前記第１コンデンサおよび前記第２コンデンサとの間の接続ノードと前記機器本体アースとの間で、互いに並列となるように接続されていることを特徴としている。
【００２４】
上記の構成によれば、気温が低下する冬場などで、Ｆ特性の第１および第２コンデンサのそれぞれの容量値が大きくなり、切替リレーの接点間電圧を増加させるが、同時に正特性サーミスタの抵抗値が減少する。その結果、気温が低下して第１および第２コンデンサの容量が増加する冬場などにおいても、絶縁耐圧試験におけるＮＧを抑制することができる。また、気温が低くないときは正特性サーミスタの抵抗値が高抵抗となることで待機状態時の漏洩電流を抑制できる。
【００２５】
また、上記電気機器では、前記ノイズフィルタ回路が、さらに抵抗を有しており、前記抵抗は前記正特性サーミスタと直列に接続され、かつ、前記正特性サーミスタおよび前記抵抗は切替リレーと並列に接続されている構成とすることができる。
【００２６】
上記の構成によれば、正特性サーミスタに対して抵抗を直列に接続することで、待機状態時に漏洩電流が流れる経路の抵抗が下がりすぎることを防止し、気温が下がった場合の漏洩電流の増加を抑制することができる。
【００２７】
また、上記電気機器では、前記切替リレーは、２つのリレーが直列に接続された構成とすることができる。
【００２８】
上記の構成によれば、切替リレーとして１つのリレーを用いる場合に比べて、リレー１つ当たりの接点間電圧を半減させることができる。これにより、絶縁耐圧試験において各リレーでのチャタリングが発生しにくくなり、絶縁耐圧試験におけるＮＧを抑制することができる。
【００２９】
また、上記の課題を解決するために、本発明の第２の態様は、インバータ回路と、外部電源の出力電圧に基づく電圧を前記インバータ回路に供給するための一対の電源ライン上を前記インバータ回路の高周波ノイズが伝導することを抑制するノイズフィルタ回路とを備えた電気機器において、前記ノイズフィルタ回路が、第１コンデンサ、第２コンデンサおよび切替リレーを有し、前記第１コンデンサが、一方の電源ラインと機器本体アースとの間に設けられ、前記第２コンデンサが、他方の電源ラインと前記機器本体アースとの間に設けられ、前記切替リレーが、前記第１コンデンサおよび前記第２コンデンサとの間の接続ノードと前記機器本体アースとの間に接続されており、前記切替リレーは、２つのリレーが直列に接続された構成であることを特徴としている。
【発明の効果】
【００３０】
本発明のノイズフィルタ回路を備えた電気機器は、第１および第２コンデンサの容量が増加する冬場において、同時に正特性サーミスタの抵抗値が減少することで、絶縁耐圧試験におけるＮＧを抑制することができ、それ以外のときは正特性サーミスタの抵抗値が高抵抗となることで待機状態時の漏洩電流を抑制できるといった効果を奏する。
【図面の簡単な説明】
【００３１】
【図１】本実施の形態１に示す電気機器の構成を示す図であり、電気機器として例示された空気調和機の構成を示す図である。
【図２】実施の形態１に示す空気調和機から絶縁耐圧試験で関係する部分のみを抜粋して記載した回路図である。
【図３】実施の形態２に示す空気調和機から絶縁耐圧試験で関係する部分のみを抜粋して記載した回路図である。
【図４】実施の形態３に示す空気調和機から絶縁耐圧試験で関係する部分のみを抜粋して記載した回路図である。
【図５】従来のノイズフィルタ回路を備えた電気機器として、空気調和機の一般的な構成を示す図である。
【図６】図５の空気調和機にサージ保護回路を追加した構成を示す図である。
【図７】図６に示す空気調和機から絶縁耐圧試験で関係する部分のみを抜粋して記載した回路図である。
【図８】図６に示す空気調和機において、絶縁耐圧試験時の等価回路図である。
【図９】図６に示す空気調和機において、チャタリングによるリレー端子間電圧の上昇を説明するための等価回路図である。
【発明を実施するための形態】
【００３２】
〔実施の形態１〕
以下、本発明の実施の形態について、図面を参照して詳細に説明する。図１は、本実施の形態１に示す電気機器の構成を示す図であり、この図ではノイズフィルタ回路を備えた電気機器として、室内機１０１および室外機１０２からなる空気調和機１００が例示されている。尚、図１に示す空気調和機１００は、図６に示す空気調和機２００’に正特性サーミスタＰＴＣ１（以下、単にサーミスタＰＴＣ１と称する）を追加したものであり、それ以外の部分については空気調和機２００’と同様の構成である。このため、図１において図６と同一の部分については同一の符号を付し、詳細な説明を省略する。
【００３３】
サーミスタＰＴＣ１は、リレーＲＹ１に対して並列に接続されている。図２は、図１に示す空気調和機１００から絶縁耐圧試験で関係する部分のみを抜粋して記載した回路図である。尚、図２に示す回路は、図７に示す回路における抵抗Ｒ２をサーミスタＰＴＣ１に置き換えたものとなっている。また、空気調和機１００においては、コンデンサＣ３およびコンデンサＣ４が特許請求の範囲に記載の第１コンデンサおよび第２コンデンサに相当し、リレーＲＹ１が特許請求の範囲に記載の切替リレーに相当し、ＡＣ電源ラインＬＮ１，ＬＮ２が一対の電源ラインに相当する。
【００３４】
本実施の形態１に係る空気調和機１００において絶縁耐圧試験を行う場合、リレーＲＹ１の接点間電圧は、サーミスタＰＴＣ１があることで、１８００×ｒＰＴＣ／（ｒＰＴＣ＋ｚ１）[Ｖ]となる。ここで、ｒＰＴＣはサーミスタＰＴＣ１の抵抗値［Ω］である。また、コンデンサＣ３，Ｃ４のインピータンスｚ１は、ｚ１＝１／（２Π・ｆ・（ｃ３＋ｃ４））である。
【００３５】
上述したように、Ｆ特性のコンデンサＣ３，Ｃ４のそれぞれの容量値ｃ３，ｃ４は、気温が低下する冬場などで大きくなり、このとき、インピータンスｚ１も増加する。インピータンスｚ１の増加は、リレーＲＹ１の接点間電圧を増加させるように作用する。一方、サーミスタＰＴＣ１は、温度が下がると抵抗値が小さくなり、リレーＲＹ１の接点間電圧を減少させるように作用する。すなわち、気温が低下してインピータンスｚ１が増加するときには、同時にサーミスタＰＴＣ１の抵抗値が減少する。サーミスタＰＴＣ１の抵抗値が減少することでリレーＲＹ１の接点間電圧が低減されるため、空気調和機１００は、コンデンサＣ３およびＣ４の容量が増加する冬場などにおいても、絶縁耐圧試験におけるＮＧを抑制することができる。
【００３６】
また、気温が低くないときは、サーミスタＰＴＣ１の抵抗値が高抵抗に維持されるため、待機状態時にサーミスタＰＴＣ１を介して流れる漏洩電流を抑制することができる。
【００３７】
〔実施の形態２〕
図３は、本実施の形態２に係る空気調和機１００から絶縁耐圧試験で関係する部分のみを抜粋して記載した回路図である。図３に示す回路は、図２に示す回路に抵抗Ｒ３を追加したものである。抵抗Ｒ３はサーミスタＰＴＣ１に直列に接続されており、サーミスタＰＴＣ１および抵抗Ｒ３は、リレーＲＹ１に対して並列に接続されている。尚、本実施の形態２に係る空気調和機１００は、抵抗Ｒ３を追加した以外は、実施の形態１における空気調和機１００と同様の構成であるとする。
【００３８】
実施の形態１に係る空気調和機１００は、リレーＲＹ１に対してサーミスタＰＴＣ１のみを並列に接続した構成であるため、気温が下がってサーミスタＰＴＣ１の抵抗値が減少すると、待機状態時の漏洩電流が増加する。これに対し、本実施の形態２に係る空気調和機１００では、サーミスタＰＴＣ１に対して抵抗Ｒ３を直列に接続することで、待機状態時に漏洩電流が流れる経路の抵抗が下がりすぎることを防止し、気温が下がった場合の漏洩電流の増加を抑制することができる。
【００３９】
〔実施の形態３〕
図４は、本実施の形態３に係る空気調和機１００から絶縁耐圧試験で関係する部分のみを抜粋して記載した回路図である。図４に示す回路は、図２に示す回路において、サーミスタＰＴＣ１を無くし、代わりに２つのリレーＲＹ１，ＲＹ２を直列に接続して構成したものである。尚、本実施の形態３に係る空気調和機１００は、サーミスタＰＴＣ１を無くし、２つのリレーＲＹ１，ＲＹ２を直列に接続した以外は、実施の形態１における空気調和機１００と同様の構成であるとする。
【００４０】
本実施の形態３に係る空気調和機１００では、２つのリレーＲＹ１，ＲＹ２を直列に接続した配置したことにより、１つのリレーＲＹ１を用いる場合に比べて、リレー１つ当たりの接点間電圧を半減させることができる。これにより、絶縁耐圧試験において各リレーでのチャタリングが発生しにくくなり、絶縁耐圧試験におけるＮＧを抑制することができる。
【００４１】
尚、本実施の形態３に係る空気調和機１００では、図２および図３に示したサーミスタＰＴＣ１や抵抗Ｒ３、もしくは図７に示した抵抗Ｒ２を用いなくても、絶縁耐圧試験におけるリレーのチャタリングを抑制し、絶縁耐圧試験におけるＮＧを抑制できるものである。しかしながら、本発明はこれに限定されるものではなく、２つのリレーＲＹ１，ＲＹ２と並列に、サーミスタＰＴＣ１や抵抗Ｒ３、もしくは抵抗Ｒ２を接続するものであってもよい。
【００４２】
今回開示した実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４３】
１    商用交流電源
２，３    端子板
４    ノイズフィルタ回路
５    全波整流回路
６    インバータ回路
７    圧縮機
８    スイッチング電源回路
９    マイコン
１００    空気調和機（電気機器）
１０１    室内機
１０２    室外機
ＬＮ１，ＬＮ２    ＡＣ電源ライン（一対の電源ライン）
Ｃ１，Ｃ２    コンデンサ
Ｃ３    コンデンサ（第１コンデンサ）
Ｃ４    コンデンサ（第２コンデンサ）
Ｃ５    平滑コンデンサ
Ｌ１    コモンモードチョークコイル
ＭＲＹ１    電源リレー
ＰＴＣ１    正特性サーミスタ
Ｒ３    抵抗
ＲＹ１，ＲＹ２    リレー（切替リレー）
ＳＡ１    サージアブソーバ
ＮＲ１    バリスタ
Ｇ    本体アース（機器本体アース）
【図１】
2020156139.tif 000003
【図２】
2020156139.tif 000004
【図３】
2020156139.tif 000005
【図４】
2020156139.tif 000006
【図５】
2020156139.tif 000007
【図６】
2020156139.tif 000008
【図７】
2020156139.tif 000009
【図８】
2020156139.tif 000010
【図９】
2020156139.tif 000011